(57)【要約】【課題】  故障等によって付加画像処理部が機能しなくなった場合であっても、主画像処理部が適切に動作することが可能な表示装置および表示方法を提供すること。【解決手段】  表示装置１００が、付加画像から主画像への切替指示情報を出力する情報配信部１１１と、主画像を表示するための主画像信号を入力する主画像信号入力部１１２と、付加画像処理部１２０から付加画像を表示するための付加画像信号を入力するメイン側付加画像信号入力部１１３と、情報配信部１１１からの切替指示情報に基づいて表示する画像を切り替える切替部１１４とを有する主画像処理部１１０と、付加画像信号入力部１２１と、付加画像信号を主画像処理部１１０に出力する付加画像信号出力部１２２とを有する付加画像処理部１２０とを含んで構成される。【選択図】      図２
2007086155.tif 000002
【特許請求の範囲】
【請求項１】
主画像処理部と、付加画像処理部とを有する表示装置であって、
前記主画像処理部は、
画像の切替指示を示す切替指示情報を入力して前記主画像処理部および前記付加画像処理部の少なくとも一方へ前記切替指示情報を出力する情報配信部と、
主画像を表示するための主画像信号を入力する主画像信号入力部と、
前記付加画像処理部から付加画像を表示するための付加画像信号を入力するメイン側付加画像信号入力部と、
表示する画像を切り替える切替部と、
を有し、
前記付加画像処理部は、
前記付加画像信号を入力する付加画像信号入力部と、
前記付加画像信号入力部に入力された前記付加画像信号を前記主画像処理部に出力する付加画像信号出力部と、
前記切替指示情報に基づき、表示する画像を切り替えるように前記切替部を制御するための制御情報を前記主画像処理部に出力する制御情報出力部と、
を有し、
前記切替指示情報が、少なくとも１つの前記付加画像を含む第１の画像から少なくとも１つの前記主画像を含む第２の画像への切替指示を示す情報の場合、
前記切替部は、当該切替指示情報に基づき、表示する画像を前記第１の画像から前記第２の画像へ切り替え、
前記制御情報出力部は、前記制御情報を出力しないことを特徴とする表示装置。
【請求項２】
請求項１に記載の表示装置において、
前記付加画像処理部は、故障判定用情報を前記主画像処理部に出力する故障判定用情報出力部を含み、
前記主画像処理部は、前記故障判定用情報に基づき、前記付加画像処理部が故障しているかどうかを判定する判定部を含み、
前記主画像処理部は、前記付加画像処理部が故障している場合、前記付加画像処理部との通信を行わないことを特徴とする表示装置。
【請求項３】
請求項２に記載の表示装置において、
前記切替部は、前記付加画像処理部が故障している場合であって、かつ、少なくとも１つの前記付加画像を含む画像が表示されている場合、当該画像から前記付加画像を含まない画像へ切り替えることを特徴とする表示装置。
【請求項４】
請求項１〜３のいずれかに記載の表示装置において、
前記情報配信部は、前記切替指示情報が、前記第１の画像から前記第２の画像への切替指示を示す情報の場合、当該切替指示情報を前記切替部へのみ配信することを特徴とする表示装置。
【請求項５】
請求項１〜４のいずれかに記載の表示装置において、
前記主画像信号は、ＴＶ映像信号であって、
前記付加画像信号は、外部情報記憶媒体に記憶された画像データの画像信号であることを特徴とする表示装置。
【請求項６】
主画像処理部と、付加画像処理部とを含む表示装置用の表示方法であって、
前記付加画像処理部は、付加画像を表示するための付加画像信号を入力して当該付加画像信号を前記主画像処理部に出力し、
前記主画像処理部は、
前記付加画像信号を入力し、
前記付加画像信号に基づき、前記付加画像を表示し、
前記付加画像から主画像への切替指示を示す切替指示情報を入力し、
前記主画像を表示するための主画像信号を入力し、
前記切替指示情報と、前記主画像信号とに基づき、前記付加画像に代えて前記主画像を表示することを特徴とする表示方法。
【請求項７】
主画像処理部と、付加画像処理部とを含む表示装置用の表示方法であって、
前記付加画像処理部は、付加画像を表示するための付加画像信号を入力して当該付加画像信号を前記主画像処理部に出力し、
前記主画像処理部は、
前記主画像を表示するための主画像信号と、前記付加画像信号とを入力し、
前記主画像信号と、前記付加画像信号とに基づき、前記主画像と前記付加画像とを含むマルチ画像を表示し、
前記マルチ画像から前記主画像への切替指示を示す切替指示情報を入力し、
前記切替指示情報と、前記主画像信号とに基づき、前記マルチ画像に代えて前記主画像を表示することを特徴とする表示方法。
【請求項８】
主画像処理部と、付加画像処理部とを含む表示装置用の表示方法であって、
前記付加画像処理部は、付加画像を表示するための付加画像信号を入力して当該付加画像信号を前記主画像処理部に出力し、
前記主画像処理部は、
前記付加画像信号を入力し、
前記付加画像信号に基づき、前記付加画像を表示し、
前記付加画像から主画像と前記付加画像を含むマルチ画像への切替指示を示す切替指示情報を入力し、
前記主画像を表示するための主画像信号を入力し、
前記切替指示情報と、前記主画像信号と、前記付加画像信号とに基づき、前記付加画像に代えて前記マルチ画像を表示することを特徴とする表示方法。
【発明の詳細な説明】
【技術分野】
【０００１】
本発明は、主画像と付加画像の切り替えが可能な表示装置および表示方法に関する。
【背景技術】
【０００２】
例えば、特許文献１では、特定の映像データが入力された場合に専用の映像に切り替える映像切替手段と、システム利用者からの指示を入力する指示装置と、映像の切り替えを手動で行うことが可能な映像手動切替手段とを備える映像表示システムが記載されている。
【特許文献１】特開２００３−１０８１０８号公報
【発明の開示】
【発明が解決しようとする課題】
【０００３】
従来の表示装置は、特許文献１のように、主画像（例えば、ＴＶ映像等）を処理する主画像処理部のみを有していた。そして、付加画像（例えば、外部メモリに記憶された静止画像等）の表示機能を付加するため、表示装置に付加画像処理部が付加された。
【０００４】
既存のシステム（主画像処理部）に新たなシステム（付加画像処理部）が付加された表示装置の場合、従来からある主画像処理部への影響を抑えつつ、適切に画像を処理することが必要となる。
【０００５】
このため、付加画像処理部が付加された従来の表示装置では、例えば、付加画像から主画像への切替指示を行う場合、付加画像処理部が主画像処理部に対して切替指示を行っていた。
【０００６】
しかし、このような表示装置の場合、故障等によって付加画像処理部が機能しなくなった場合、主画像への切り替えができなくなってしまう。また、付加画像処理部が機能しなくなった場合には、主画像処理部が付加画像処理部の故障等を判定して適切に動作することが必要となる。すなわち、このような場合、主画像処理部は、本来表示すべき主画像を表示することが必要となる。
【０００７】
本発明の目的は、故障等によって付加画像処理部が機能しなくなった場合であっても、主画像処理部が適切に動作することが可能な表示装置および表示方法を提供することにある。
【課題を解決するための手段】
【０００８】
上記課題を解決するため、本発明に係る表示装置は、主画像処理部と、付加画像処理部とを有する表示装置であって、
前記主画像処理部は、
画像の切替指示を示す切替指示情報を入力して前記主画像処理部および前記付加画像処理部の少なくとも一方へ前記切替指示情報を出力する情報配信部と、
主画像を表示するための主画像信号を入力する主画像信号入力部と、
前記付加画像処理部から付加画像を表示するための付加画像信号を入力するメイン側付加画像信号入力部と、
表示する画像を切り替える切替部と、
を有し、
前記付加画像処理部は、
前記付加画像信号を入力する付加画像信号入力部と、
前記付加画像信号入力部に入力された前記付加画像信号を前記主画像処理部に出力する付加画像信号出力部と、
前記切替指示情報に基づき、表示する画像を切り替えるように前記切替部を制御するための制御情報を前記主画像処理部に出力する制御情報出力部と、
を有し、
前記切替指示情報が、少なくとも１つの前記付加画像を含む第１の画像から少なくとも１つの前記主画像を含む第２の画像への切替指示を示す情報の場合、
前記切替部は、当該切替指示情報に基づき、表示する画像を前記第１の画像から前記第２の画像へ切り替え、
前記制御情報出力部は、前記制御情報を出力しないことを特徴とする。
【０００９】
また、本発明に係る表示方法は、主画像処理部と、付加画像処理部とを含む表示装置用の表示方法であって、
前記付加画像処理部は、付加画像を表示するための付加画像信号を入力して当該付加画像信号を前記主画像処理部に出力し、
前記主画像処理部は、
前記付加画像信号を入力し、
前記付加画像信号に基づき、前記付加画像を表示し、
前記付加画像から主画像への切替指示を示す切替指示情報を入力し、
前記主画像を表示するための主画像信号を入力し、
前記切替指示情報と、前記主画像信号とに基づき、前記付加画像に代えて前記主画像を表示することを特徴とする。
【００１０】
また、本発明に係る表示方法は、主画像処理部と、付加画像処理部とを含む表示装置用の表示方法であって、
前記付加画像処理部は、付加画像を表示するための付加画像信号を入力して当該付加画像信号を前記主画像処理部に出力し、
前記主画像処理部は、
前記主画像を表示するための主画像信号と、前記付加画像信号とを入力し、
前記主画像信号と、前記付加画像信号とに基づき、前記主画像と前記付加画像とを含むマルチ画像を表示し、
前記マルチ画像から前記主画像への切替指示を示す切替指示情報を入力し、
前記切替指示情報と、前記主画像信号とに基づき、前記マルチ画像に代えて前記主画像を表示することを特徴とする。
【００１１】
また、本発明に係る表示方法は、主画像処理部と、付加画像処理部とを含む表示装置用の表示方法であって、
前記付加画像処理部は、付加画像を表示するための付加画像信号を入力して当該付加画像信号を前記主画像処理部に出力し、
前記主画像処理部は、
前記付加画像信号を入力し、
前記付加画像信号に基づき、前記付加画像を表示し、
前記付加画像から主画像と前記付加画像を含むマルチ画像への切替指示を示す切替指示情報を入力し、
前記主画像を表示するための主画像信号を入力し、
前記切替指示情報と、前記主画像信号と、前記付加画像信号とに基づき、前記付加画像に代えて前記マルチ画像を表示することを特徴とする。
【００１２】
本発明によれば、表示装置は、付加画像処理部の制御情報出力部が制御情報を出力せず、主画像処理部の切替部が切替指示情報に基づいて画像を切り替えることができるため、故障等によって付加画像処理部が機能しなくなった場合であっても、主画像処理部が適切に動作することができる。
【００１３】
また、前記付加画像処理部は、故障判定用情報を前記主画像処理部に出力する故障判定用情報出力部を含み、
前記主画像処理部は、前記故障判定用情報に基づき、前記付加画像処理部が故障しているかどうかを判定する判定部を含み、
前記主画像処理部は、前記付加画像処理部が故障している場合、前記付加画像処理部との通信を行わなくてもよい。
【００１４】
これによれば、表示装置は、付加画像処理部の故障を判定できる上、故障の場合に付加画像処理部との無駄な通信を行わないで済む。
【００１５】
また、前記切替部は、前記付加画像処理部が故障している場合であって、かつ、少なくとも１つの前記付加画像を含む画像が表示されている場合、当該画像から前記付加画像を含まない画像へ切り替えてもよい。
【００１６】
これによれば、表示装置は、付加画像表示部分が空白になる画像を表示することを防止し、ユーザーにとって違和感のない画像を表示することができる。
【００１７】
また、前記情報配信部は、前記切替指示情報が、前記第１の画像から前記第２の画像への切替指示を示す情報の場合、当該切替指示情報を前記切替部へのみ配信してもよい。
【００１８】
これによれば、表示装置は、無駄な通信を減らし、より効率的に画像を表示することができる。
【００１９】
また、前記主画像信号は、ＴＶ映像信号であって、
前記付加画像信号は、外部情報記憶媒体に記憶された画像データの画像信号であってもよい。
【００２０】
これによれば、表示装置は、付加画像を表示できなくなった場合であっても、本来表示すべきＴＶ映像を表示することができる。
【発明を実施するための最良の形態】
【００２１】
以下、本発明を背面投写型の表示装置に適用した場合を例に採り、図面を参照しつつ説明する。なお、以下に示す実施形態は、特許請求の範囲に記載された発明の内容を何ら限定するものではない。また、以下の実施形態に示す構成の全てが、特許請求の範囲に記載された発明の解決手段として必須であるとは限らない。
【００２２】
図１は、本実施例における表示装置１００の斜視図である。
【００２３】
本実施例における表示装置１００は、いわゆるプロジェクションＴＶであり、主画像としてＴＶ映像を表示する機能と、付加画像としてメモリカード等の外部情報記憶媒体に記憶された画像データに基づく静止画像等を表示する機能（いわゆるフォトビューワ機能等）を有している。
【００２４】
このような機能を実装するため、表示装置１００は、主画像処理部と、付加画像処理部を有している。
【００２５】
図２は、本実施例における表示装置１００の機能ブロック図である。
【００２６】
表示装置１００は、主画像を処理する主画像処理部１１０と、付加画像を処理する付加画像処理部１２０と、主画像処理部１１０からの画像信号に基づいて画像を投写する投写部１３０と、投写部１３０によって投写された画像を表示する表示部１４０とを含んで構成されている。
【００２７】
ここで、主画像処理部１１０は、画像の切替指示を示す切替指示情報を入力して主画像処理部１１０および付加画像処理部１２０の少なくとも一方へ切替指示情報を出力する情報配信部１１１と、主画像を表示するための主画像信号を入力する主画像信号入力部１１２と、付加画像処理部１２０から付加画像を表示するための付加画像信号を入力するメイン側付加画像信号入力部１１３と、表示する画像を切り替える切替部１１４と、故障判定用情報に基づき、付加画像処理部１２０が故障しているかどうかを判定する判定部１１５とを含んで構成されている。
【００２８】
また、付加画像処理部１２０は、付加画像信号を入力する付加画像信号入力部１２１と、付加画像信号入力部に入力された付加画像信号を主画像処理部１１０に出力する付加画像信号出力部１２２と、主画像処理部１１０からの切替指示情報に基づき、表示する画像を切り替えるように切替部１１４を制御するための制御情報を主画像処理部１１０に出力する制御情報出力部１２３と、故障判定用情報を主画像処理部１１０に出力する故障判定用情報出力部１２４とを含んで構成されている。
【００２９】
なお、これらの各部は、例えば、以下のハードウェアを用いて構成してもよい。
【００３０】
図３は、本実施例における表示装置１００のハードウェアブロック図である。
【００３１】
例えば、情報配信部１１１としては、インターフェース部９２０、無線通信部９４０等、主画像信号入力部１１２、メイン側付加画像信号入力部１１３、付加画像信号入力部１２１、付加画像信号出力部１２２、制御情報出力部１２３、故障判定用情報出力部１２４としては、入出力ポート９３０、ＲＡＭ９５０、ＲＯＭ９６０等、切替部１１４としては画像処理回路９７０等、判定部１１５としてはＣＰＵ９１０等を用いてコンピュータに各部の機能を実装させることができる。
【００３２】
なお、ＣＰＵ９１０等の各部はシステムバス９８０等を介して相互に情報通信することが可能である。また、これらの各部は、その一部または全部を、回路のようにハードウェア的に実装してもよいし、ドライバのようにソフトウェア的に実装してもよい。
【００３３】
さらに、情報配信部１１１等としてコンピュータを機能させるためのプログラムを記憶した情報記憶媒体９００からプログラムを読み取って情報配信部１１１等の機能をコンピュータに実装してもよい。
【００３４】
このような情報記憶媒体９００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００３５】
また、情報記憶媒体９００に代えて、上述した各機能を実装するためのプログラム等を、伝送路を介してホスト装置等からダウンロードすることによって上述した各機能を実装することも可能である。
【００３６】
次に、情報配信部１１１等の各部を用いた処理の流れについて説明する。まず、付加画像からメイン画像に切り替える場合の処理の流れについて説明する。
【００３７】
図４は、従来の付加画像からメイン画像に切り替える場合の処理の流れを示すフローチャートである。
【００３８】
主画像処理部と付加画像処理部を有する従来の表示装置は、付加画像を表示している状態で（ステップＳ１）、リモートコントローラーからの主画像への切替指示があるかどうかを判定する（ステップＳ２）。
【００３９】
切替指示があった場合、付加画像処理部が、主画像に切り替えるための制御情報を主画像処理部に出力する（ステップＳ３）。
【００４０】
主画像処理部の切替部は、当該制御情報に基づき、付加画像から主画像に切り替える（ステップＳ４）。
【００４１】
投写部は、主画像信号に基づき、主画像を投写し、表示部は、投写された主画像を表示する（ステップＳ５）。
【００４２】
このように、従来の表示装置は、常に付加画像処理部が画像切替の指示を行っていた。これに対し、本実施例の表示装置１００は、画像の切り替え先の処理部が画像切替の指示を行う。
【００４３】
図５は、本実施例の付加画像からメイン画像に切り替える場合の処理の流れを示すフローチャートである。
【００４４】
情報配信部１１１は、付加画像が表示されている状態で（ステップＳ１）、リモートコントローラーからの主画像への切替指示があるかどうかを判定する（ステップＳ２）。
【００４５】
切替指示があった場合、情報配信部１１１は、切替部１１４に当該切替指示を示す切替指示情報を出力する。切替部１１４は、当該切替指示情報に基づき、付加画像から主画像に切り替える（ステップＳ１１）。
【００４６】
このように、本実施例の表示装置１００においては、画像の切り替え先の主画像処理部１１０が画像切替の指示を行う。
【００４７】
投写部は、主画像信号に基づき、主画像を投写し、表示部は、投写された主画像を表示する（ステップＳ５）。
【００４８】
なお、本実施例の表示装置１００においては、付加画像（第１の画像）から主画像（第２の画像）に切り替える場合だけでなく、主画像と付加画像を含むマルチ画像（第１の画像）から主画像（第２の画像）に切り替えたり、付加画像（第１の画像）から主画像と付加画像を含むマルチ画像（第２の画像）に切り替えたりする場合にも画像の切り替え先の主画像処理部１１０が画像切替の指示を行う。
【００４９】
図６は、本実施例のマルチ画像から主画像への切り替えを示す模式図である。また、図７は、本実施例の付加画像からマルチ画像への切り替えを示す模式図である。
【００５０】
これらの場合においても、切替指示があった場合、情報配信部１１１は、切替部１１４に当該切替指示を示す切替指示情報を出力し、切替部１１４は、当該切替指示情報に基づいて画像を切り替える。
【００５１】
以上のように、本実施例によれば、表示装置１００は、画像の切り替え先の主画像処理部１１０が画像切替の指示を行うことにより、故障等によって付加画像処理部１２０が機能しなくなった場合であっても、主画像処理部１１０が適切に動作することができる。特に、フォトビューワ機能付きプロジェクションＴＶの場合、本実施例によれば、フォトビューワ機能が使えなくなった状態であってもＴＶ映像を表示することができる。
【００５２】
また、本実施例によれば、付加画像から主画像に切り替える場合、付加画像処理部１２０を経由しないで画像を切り替えることができるため、従来よりも素早く画像を切り替えることができる。
【００５３】
なお、本発明の適用は上述した実施例に限定されず、種々の変形が可能である。
【００５４】
例えば、情報配信部１１１は、切替指示情報を主画像処理部１１０と付加画像処理部１２０の両方に配信してもよい。そして、主画像処理部１１０および付加画像処理部１２０は、当該切替指示情報が画像の切り替え先ではないことを示す場合、当該切替指示情報を無視してもよい。
【００５５】
また、判定部１１５は、故障判定用情報出力部１２４からの故障判定用情報に基づいて付加画像処理部１２０の故障を判定してもよい。具体的には、故障判定用情報としては、例えば、キープアライブ信号、専用のコマンド等が該当する。判定部１１５は、故障判定用情報出力部１２４からキープアライブ信号等が一定時間以上届かない場合に付加画像処理部１２０が故障したと判定することができる。
【００５６】
また、このように、付加画像処理部１２０が故障したと判定した場合、主画像処理部１１０は、付加画像処理部１２０との通信を停止してもよい。これによれば、主画像処理部１１０は、故障の場合に付加画像処理部１２０との無駄な通信を行わないで済む。
【００５７】
また、付加画像処理部１２０が故障している場合であって、かつ、少なくとも１つの付加画像を含む画像が表示されている場合、切替部１１４は、当該画像から付加画像を含まない画像へ切り替えてもよい。
【００５８】
これによれば、表示装置１００は、付加画像表示部分が空白になる画像を表示することを防止し、ユーザーに違和感のない画像を表示することができる。このような場合、例えば、切替部１１４は、主画像のみで構成される画像に切り替えればよい。これにより、表示装置１００は、付加画像を表示できなくなった場合であっても、本来表示すべきＴＶ映像等を表示することができる。
【００５９】
なお、切替が完了した場合、切替部１１４は、切替完了を示す通知情報を付加画像処理部１２０に出力してもよい。これにより、付加画像処理部１２０は、内部状態を更新したり、付加画像の入出力を停止したりすることができる。
【００６０】
また、表示装置１００は、プロジェクションＴＶに限定されず、例えば、液晶ＴＶ、プラズマＴＶ、液晶画面付きＤＶＤプレイヤー等の種々の表示装置を採用可能である。
【００６１】
なお、主画像から付加画像に切り替える場合等は、従来通り付加画像処理部１２０が主画像処理部１１０に対して切替指示を行うことができる。
【００６２】
また、付加画像処理部が複数設けられている場合、動作中の付加画像処理部が上記処理を実行すればよい。
【図面の簡単な説明】
【００６３】
【図１】本実施例における表示装置の斜視図である。
【図２】本実施例における表示装置の機能ブロック図である。
【図３】本実施例における表示装置のハードウェアブロック図である。
【図４】従来の付加画像からメイン画像に切り替える場合の処理の流れを示すフローチャートである。
【図５】本実施例の付加画像からメイン画像に切り替える場合の処理の流れを示すフローチャートである。
【図６】本実施例のマルチ画像から主画像への切り替えを示す模式図である。
【図７】本実施例の付加画像からマルチ画像への切り替えを示す模式図である。
【符号の説明】
【００６４】
１００  表示装置、１１０  主画像処理部、１１１  情報配信部、１１２  主画像信号入力部、１１３  メイン側付加画像信号入力部、１１４  切替部、１１５  判定部、１２０  付加画像処理部、１２１  付加画像信号入力部、１２２  付加画像信号出力部、１２３  制御情報出力部、１２４  故障判定用情報出力部、９００  情報記憶媒体
【図１】
2007086155.tif 000003
【図２】
2007086155.tif 000004
【図３】
2007086155.tif 000005
【図４】
2007086155.tif 000006
【図５】
2007086155.tif 000007
【図６】
2007086155.tif 000008
【図７】
2007086155.tif 000009